(57)【要約】【課題】装飾品として用いられるプリザーブドフラワーや額に入れられた果物や花の写真や絵画からあたかも香りがするように感じる壁掛け芳香剤の提供を目的とする。【解決手段】本考案の装飾品および芳香材料の支持構造は、芳香材料と、該芳香材料が着脱自在に取り付けられ、壁面または天井に直接または間接に支持され、装飾品を支持する支持部を備えた、芳香材料および装飾品を支持する担体とからなることを特徴とする。【選択図】図１
0003161407.tif 000002
【実用新案登録請求の範囲】
【請求項１】
芳香材料と、
該芳香材料が着脱自在に取り付けられ、壁面または天井に直接または間接に支持され、装飾品を支持する支持部を備えた、芳香材料および装飾品を支持する担体とからなることを特徴とする装飾品および芳香材料の支持構造。
【請求項２】
前記芳香材料が、芳香剤を吸着する芳香剤吸着体が収容された芳香剤容器であることを特徴とする請求項１記載の装飾品および芳香材料の支持構造。
【請求項３】
前記芳香剤吸着体が、基材に香料を浸透させたシート状の芳香材料であることを特徴とする請求項２記載の装飾品および芳香材料の支持構造。
【請求項４】
前記芳香剤容器が、芳香剤を収容した偏平な容器からなり、
前記担体が、前記偏平な容器より一回り大きい偏平な形状のケースであり、
前記担体が壁面への取付部を備え、前記担体の前記支持部が、略Ｌ字状の突起であることを特徴とする請求項２記載の装飾品および芳香材料の支持構造。
【請求項５】
前記装飾品が、プリザーブドフラワー、ドライフラワー、造花が収容された箱体であることを特徴とする請求項１〜４のいずれかに記載の装飾品および芳香材料の支持構造。
【請求項６】
前記装飾品が、写真、絵画が入った額であることを特徴とする請求項１〜４のいずれかに記載の装飾品および芳香材料の支持構造。
【考案の詳細な説明】
【技術分野】
【０００１】
本考案は装飾品および芳香材料の支持構造に関する。
【背景技術】
【０００２】
従来の壁掛けの芳香剤として、特許文献１に示されるように、香料を染み込ませた板、シート、フィルムをケースやフレーム内に収容し、壁に掛けて用いる芳香剤が開示されている。また、特許文献２には、芳香剤を枠体の枠内、または枠体に嵌め込まれる部材に収容し、壁掛けまたはスタンド式の芳香剤として用いることが開示されている。また、特許文献３には、芳香剤成分を含んだシートなどのエレメントが、額内に入れられた壁掛けとして用いることが開示されている。
【先行技術文献】
【特許文献】
【０００３】
【特許文献１】特開２００４−３２１２２５号公報
【特許文献２】特開平１０−１５５６１９号公報
【特許文献３】実開平７−３１４００号公報
【考案の概要】
【考案が解決しようとする課題】
【０００４】
しかしながら、特許文献１〜３の壁掛けは、いずれも壁掛けに単に芳香剤が収容されているに過ぎず、芳香剤が収容された壁掛け自体に装飾的効果を持たせたり、芳香剤が収容された壁掛けにさらに装飾的効果を有する写真立てなどの額縁や、造花が入った箱体などを取り付けることはない。
【０００５】
一方、近年、プリザーブドフラワーという、切花を咲いた状態で有機溶剤を用いて脱水、脱色し、続けて保存液となる不揮発性溶液を用いて水分と置換し、染料を用いて着色させた後、乾燥させることにより、生きた花と比べても遜色のない、インテリア用の加工された花が市販されている。プリザーブドフラワーを箱に詰めた状態や額内に入れられた状態で市販されているものもあり、壁などに取り付けてインテリアとして使用されている。当該プリザーブドフラワーは、寿命が長く１０年以上もつものもあるが、その反面、花の香りがしない。
【０００６】
したがって、プリザーブドフラワーは、長持ちはするが香りがないため、生花と比較すると物足りないという問題があった。また、額に入れられた写真や絵画なども香りがしないため、装飾的な効果はあるものの、やはりもの足りない。
【０００７】
そこで、本考案は、かかる事情に鑑みて、装飾品として用いられるプリザーブドフラワーや額に入れられた果物や花の写真や絵画からあたかも香りがするように感じる壁掛け芳香剤の提供を目的とする。
【課題を解決するための手段】
【０００８】
本考案の装飾品および芳香材料の支持構造は、芳香材料と、該芳香材料が着脱自在に取り付けられ、壁面または天井に直接または間接に支持され、装飾品を支持する支持部を備えた、芳香材料および装飾品を支持する担体とからなることを特徴とする。
【０００９】
また、前記芳香材料が、芳香剤を吸着する芳香剤吸着体が収容された芳香剤容器であることが好ましい。
【００１０】
また、前記芳香剤吸着体が、基材に香料を浸透させたシート状の芳香材料であることが好ましい。
【００１１】
また、前記芳香剤容器が、芳香剤を収容した偏平な容器からなり、前記担体が、前記偏平な容器より一回り大きい偏平な形状のケースであり、前記担体が壁面への取付部を備え、前記担体の前記支持部が、略Ｌ字状の突起であることが好ましい。
【００１２】
また、前記装飾品が、プリザーブドフラワーやドライフラワー、造花が収容された箱体であることが好ましい。
【００１３】
また、前記装飾品が、写真、絵画が入った額であることが好ましい。
【考案の効果】
【００１４】
本考案の装飾品および芳香材料の支持構造によれば、芳香材料を支持する担体に装飾品を取り付けるための支持部が設けられているので、プリザーブドフラワーやドライフラワー、造花などが入った箱体や、写真や絵画が入った額等の別部材をさらに取り付けることができる。また、芳香材料の香りを、担体に取り付けられた装飾品に合った香りにすることにより、あたかも装飾品であるプリザーブドフラワーやドライフラワー、造花自体や、写真や絵画自体から香りがするかのように感じられる。
【図面の簡単な説明】
【００１５】
【図１】本考案の装飾品および芳香材料の支持構造を説明するための説明図である。
【図２】本考案の装飾品および芳香材料の支持構造に用いられる担体を説明するための説明図である。
【図３】本考案の装飾品および芳香材料の支持構造に用いられる担体を説明するための説明図である。
【図４】本考案の装飾品および芳香材料の支持構造の使用状態を説明するための説明図である。
【図５】本考案の装飾品および芳香材料の支持構造の実施の形態２を説明するための説明図である。
【図６】本考案の装飾品および芳香材料の支持構造の実施の形態３を説明するための説明図である。
【図７】本考案の装飾品および芳香材料の支持構造の実施の形態４を説明するための説明図である。
【図８】本考案の装飾品および芳香材料の支持構造の実施の形態５を説明するための説明図である。
【考案を実施するための形態】
【００１６】
以下、添付図面を参照して、本考案の装飾品および芳香材料の支持構造を詳細に説明する。
【００１７】
実施の形態１
図１に示されるように、本実施の形態の装飾品および芳香材料の支持構造１（以下、単に支持構造１という）は、芳香材料２と、芳香材料２が取り外し可能に収容され、装飾品を支持する担体３とから構成されている。なお、本考案において、装飾品とは、プリザーブドフラワー、ドライフラワー、造花自体や、プリザーブドフラワー、ドライフラワー、造花が収容された箱体や、写真、絵画などが入った額縁をいうものである。
【００１８】
芳香材料２は、本実施の形態では、香料が調合された芳香剤と、芳香剤が収容された芳香剤容器とからなり、たとえば、花の香りがする香料、果物の香りがする香料等、様々な香りを有する芳香剤を用いることができる。また、揮発性の高い液状の芳香剤、ゲル状の芳香剤、ビーズ状の芳香剤、シート状の芳香剤を用いることができる。図１では、芳香材料２は、偏平な直方体形状を呈し、芳香剤の香りが外に出るように、開口部（図示せず）を備えている。なお、芳香材料２としては、芳香剤の香りが外部に広がるようにできるものであればよく、芳香剤を吸着する芳香剤吸着体が収容された芳香剤容器であってもよい。芳香剤を吸着する芳香剤吸着体としては、紙、パルプ、織布、フェルトなどの不織布や、脱脂綿などの綿製品であってもよく、当該芳香剤吸着体に香料を染み込ませて用いられる。また、芳香剤が収容された芳香剤容器は、特に形状は限定されることはなく、合成樹脂の成形品に限られず、香りを外部に出すための開口が設けられた柔軟な容器であってもよい。
【００１９】
芳香剤が収容された芳香材料２は、担体３に取り外し可能に収容される。担体３は、本実施の形態では、図１に示されるように、芳香材料２よりも一回り大きい偏平な形状を呈したケースであり、図１では、矩形状の１枚の板状体の四隅が折り返され、芳香材料２がスライド可能な溝部Ｇが四隅に形成されている。図１に示すように、担体３よりも一回り小さい芳香材料２を担体３内にスライドして挿入が可能であり、芳香剤の香料の成分が無くなったときには、芳香材料２の取替えが可能になっている。
【００２０】
担体３は、図１および２に示されるように、担体３を壁面に取り付けるための取付部３１と、装飾品を支持するための支持部３２が、担体３の上縁の中央部に設けられている。支持部３２の位置は、図１に示す位置に限られることはなく、図１よりも下方に設けてもよい。図１および２では、取付部３１は、ネジを挿通するためのネジ孔Ｈが設けられており、取付部３１を介して担体３は、ネジ、釘などの公知の固着手段により、壁面Ｗ（図４参照）に取り付けられる。また、ネジ、釘などにより壁に穴を開けたくない場合には、取付部３１に両面テープや接着剤などにより、担体３を壁に取り付けることもできる。
【００２１】
取付部３１は、図１および２では、４つの取付部３１が設けられているが、取付部３１の数は、図１および２に示す４つに限定されるものではなく、１〜３つの取付部３１であっても、５以上の取付部３１を設けてもよい。
【００２２】
また、担体３の取付部３１が設けられている側と反対側の、図１に参照符号Ａで示す面Ａには、担体３に装飾品を取り付けるための支持部３２が設けられている。図１では、支持部３２は、担体３の面Ａから突出する略Ｌ字状の突起であり、略Ｌ字状の突起の上方に突出した先端に、装飾品に設けられた係止部４が、係合することにより装飾品を支持する。支持部３２の形状は略Ｌ字状の突起に限定されるものではなく、単に切欠きを担体３の面Ａに設け、装飾品側に担体３の支持部３２である切欠きに装飾品側の係止部を係合させてもよい。
【００２３】
また、図１では、担体３が金属板から構成され、１枚の金属板を曲げ加工することにより、略Ｌ字状の突起を形成しているが、別体の係止部材を接着剤や、ネジ等の公知の固着手段により担体３に取り付けることもできる。
【００２４】
また、担体３の面Ａ側には、芳香剤の香りを透過させるために、複数の開口部３３が設けられている。開口部３３は、図１および２に示すように、ハート型やクローバー型など、様々な形状の開口とすることができ、装飾的効果を高めることができる。
【００２５】
また、担体３の面Ａには、担体３の下方側に２つの突起３４が設けられており、突起３４を係止部４とほぼ同程度突出させることが好ましい。
【００２６】
また、図３に示されるように、担体３の下端には、収容される芳香材料２を担体３の下端側で支持するための２つのストッパ３５が設けられている。ストッパ３５は、図３に示すような舌片状の突起に限られるものではなく、芳香材料２を担体３の下端で支持できるものであれば、特に限定されるものではなく、個数も２つに限られず、１つでも３つ以上であってもよい。
【００２７】
担体３の支持部３２には、図４に示すように装飾品Ｄが係止される。図４では、担体３が壁面Ｗに取付部３１を介して取り付けられ、担体３側の支持部３２である略Ｌ字状の突起と、装飾品Ｄである箱体に取り付けられ、略Ｌ字状の突起と係合するフック部材４とが係合し、装飾品Ｄである箱体が担体３に支持される。箱体としては、たとえば、プリザーブドフラワー、ドライフラワーや造花が収容された箱や、写真や絵画などが入れられた額などをあげることができる。芳香材料２に収容された芳香剤の香りを、箱体に収容された装飾品と合った香りのものとすることにより、本来香りがしない装飾品から香りがするような印象を持たせることができる。たとえば、バラのプリザーブドフラワーが箱体内に入っている場合は、バラの香りがする芳香剤を用い、額内に入った写真がオレンジやレモンの場合は、オレンジやレモンの香りがする芳香剤を用いることにより、プリザーブドフラワーであるバラや、写真に写ったオレンジやレモンから香りがしているかのように感じさせることができる。
【００２８】
実施の形態２
本実施の形態は、実施の形態１の変形例である。実施の形態１では芳香材料２は、芳香剤が収容された芳香剤容器が、担体３にさらに収容されているものであるが、本実施の形態は、図５に示されるように、芳香材料２が、芳香剤容器を用いず、基材に香料を染み込ませたシート状の芳香材料２を用いている。芳香材料２の基材としては、紙、パルプ、織布、フェルトなどの不織布、脱脂綿などの綿などを用いることができ、当該紙、パルプ等の基材に香料を染み込ませたものを用いることができる。芳香材料２は、図５に示されるように、担体３に収容される。本実施の形態では、壁面に取り付けるための取付部３１が、担体３の上縁側に２つ設けられている。また、担体３の装飾品が取り付けられる前面側には、芳香剤の香りを拡散させるための開口部３３が複数設けられている。本実施の形態では、基材に香料を染み込ませたシート状の芳香材料２を用いることにより、芳香剤を収容するための芳香剤容器が不要であり、担体３自体も薄型にすることができる。図５に示す担体３は、担体３の上縁に切欠き状の支持部３２が形成され、当該支持部３２に、装飾品側の係止部４、たとえば略Ｌ字状の突起の下向きに突出した先端を係合させることにより、装飾品Ｄを係合させる。これにより、シート状の芳香材料２から香りを拡散させ、装飾品Ｄから香りがしているかのように感じさせることができる。
【００２９】
実施の形態３
本実施の形態は、液状の芳香剤を瓶２１に収容した芳香材料２を用いたものである。図６では、円筒状の瓶２１を収容する、上部が開口した円筒状の担体３を用いている。円筒状の担体３には、担体３の上縁に取付部３１が設けられ、円筒状の担体３の側面には、箱体や額などを取り付けるための支持部３２が設けられている。当該支持部３２に、装飾品Ｄである額などを取り付け、担体３の上部の開口から香りを拡散させ、装飾品Ｄから香りがしているかのように感じさせることができる。
【００３０】
本実施の形態における芳香材料２は、たとえば、瓶２１に蓋を設け、当該蓋を開閉し、瓶２１に収容された液状の芳香剤自体が、蒸発することにより香りを出すようにしてもよいし、瓶２１内に、不織布などからなる円柱状の自立性のある芳香剤吸着体を収容し、当該芳香剤吸着体内に浸透した液状の芳香剤が、芳香剤吸着体内を毛細管現象により上昇することにより香りを出すようにしてもよい。また、予め円柱状の芳香剤吸着体に香料を浸透させ、当該芳香剤吸着体から香りを出すようにしてもよい。
【００３１】
実施の形態４
本実施の形態は、担体３を天井Ｒから吊り下げたものである。本実施の形態の図７に示されるように、装飾品および芳香材料の支持構造１は、天井Ｒから吊り下げられたワイヤＷと、ワイヤＷにより吊り下げられ、芳香材料２を収容する担体３とから構成されている。担体３は、芳香材料２の香りを拡散させるために、複数の開口３３を備え、額などの装飾品Ｄを吊り下げるためのフック状の支持部３２を備えている。本実施の形態では、担体３を吊り下げるために、ワイヤＷを用いているが、ワイヤＷに代えて、紐やゴムなどを採用することもできる。フック状の支持部３２に、額などの装飾品Ｄに設けられた係止部４が係止され、装飾品Ｄを吊り下げることができる。天井Ｒから吊り下げられた担体３に、額などの装飾品Ｄを吊り下げ、担体３の開口部３３から香りを拡散させることにより、装飾品Ｄから香りがしているかのように感じさせることができる。
【００３２】
実施の形態５
本実施の形態は、芳香材料２が収容された担体３に、プリザーブドフラワーや、ドライフラワー、造花などの花束Ｆをゴムや針金などの支持部３２により支持するものである。図８に示されるように、ワイヤＷにより天井Ｒから吊り下げられた担体３の下方に、リング状のゴムまたは針金などにより花束を支持することができる支持部３２が設けられている。当該リング状のゴムや、針金などの支持部３２により花束Ｆを支持することにより、天井Ｒから吊り下げられた担体３の開口部３３から芳香材料２の香りを拡散させることにより、花束Ｆから香りがしているかのように感じさせることができる。
【符号の説明】
【００３３】
１  支持構造
２  芳香材料
２１  瓶
３  担体
３１  取付部
３２  支持部
３３  開口部
３４  突起
３５  ストッパ
４  係止部
Ａ  面
Ｄ  装飾品
Ｇ  溝部
Ｒ  天井
Ｗ  壁面
【図１】
0003161407.tif 000003
【図２】
0003161407.tif 000004
【図３】
0003161407.tif 000005
【図４】
0003161407.tif 000006
【図５】
0003161407.tif 000007
【図６】
0003161407.tif 000008
【図７】
0003161407.tif 000009
【図８】
0003161407.tif 000010